(57)【要約】データ発生時間とデータ伝送単位時間からデータの到達時間を算出しこの算出値の小さいものから伝送する。
2002032079.tif 000002
【特許請求の範囲】
【請求項１】
各種のメディアからの伝送単位時間およびデータサイズの異なるデータを１つの伝送路を通じて他の装置にデータを伝送するデータ伝送方法において、データ発生時間とデータ伝送単位時間からデータの到達時間を算出し、この算出値の小さいものから伝送することを特徴とするデータ伝送方法。
【請求項２】
各種のメディアからの伝送単位時間およびデータサイズの異なるデータを１つの伝送路を通じて他の装置にデータを伝送するデータ伝送方法において、前記各種のメディアから伝送すべき全てのデータのうちの最小の伝送単位時間でそれぞれのデータを分割し、この分割単位毎のデータ発生時間に各データの伝送単位時間を加算し、その値の小さなものから伝送することを特徴とするデータ伝送方法。
【請求項３】
加算値の同じものについてはデータサイズの小さなものから伝送することを特徴とする請求の範囲第２項記載のデータ伝送方法。
【請求項４】
加算値の同じものについてはデータの発生時間の早いものから伝送することを特徴とする請求の範囲第２項記載のデータ伝送方法。
【請求項５】
加算値の同じものについてはデータ伝送単位時間の小さいものから伝送することを特徴とする請求の範囲第２項記載のデータ伝送方法。
【請求項６】
各種のメディアからの伝送単位時間およびデータサイズの異なるデータを１つの伝送路を通じて他の装置にデータを伝送するデータ伝送装置において、データ発生時間とデータ伝送単位時間からデータの到達時間を算出する機能と、この算出値の小さいものから伝送路に伝送する伝送機能を備えたデータ伝送装置。
【請求項７】
伝送データを各種のメディアの最小伝送単位時間で分割する分割機能と、この分割単位毎のデータ発生時間に各種のメディア伝送単位時間を加算する加算機能と、その加算値の小さなものから伝送する伝送機能を備えたことを特徴とする請求の範囲第６項記載のデータ伝送装置。
【発明の詳細な説明】
技術分野
この発明は、各種のメディアからの伝送単位時間およびデータサイズの異なるデータを１つの伝送路を通じて他の装置にデータを伝送するデータ伝送方法およびデータ伝送装置に関するものである。
背景技術
従来、この種のデータ伝送は、伝送単位時間およびデータサイズが一定のデータ伝送であったため、特に問題は生じなかった。ところが、ＷＣＤＭＡのデータ伝送になると、各種のメディアからの伝送単位時間およびデータサイズの異なるデータを伝送しなければならない。
第１図は無線基地局装置内のベースバンド信号処理部１の有線伝送路インタフエース部２と無線ネットワーク制御装置３の有線伝送路インタフエース部４との間におけるデータ伝送を示すもので、ベースバンド信号処理部１はデータを受信した順番にそのまま、有線伝送路インタフエース部２から伝送路５を介して無線ネットワーク制御装置３の有線伝送路インタフエース部４に伝送している。
第２図はデータＡ、データＢを用いて、従来のデータ伝送順序の説明図であり、最小処理時間ＴＴＩ１が大きなデータＡを伝送中は伝送路を占有することになり、その伝送中に他のデータＢを伝送できない。従って、特に最小処理時間ＴＴＩ２が小さな他のデータＢを受信した場合、瞬断が生じたり、装置内遅延が生じる。
第３図はそのデータ伝送における伝送側と受信側の関係を示すもので、データＢのＢ３データを伝送した後、データＡのＡ０データを伝送すると、Ａ０データ伝送終了するまでは、データＢのＢ４データを伝送することができず、第３図に示すように、受信側においてはＢ３データからＢ４データの間において瞬断が生ずる。
従来のデータ伝送方法およびデータ伝送装置は上記のように、送信可能になったデータから順番にそのまま伝送を行うため、処理単位の大きなデータを送信する際、そのデータの伝送中は伝送路を占有する時間が大きくなり、その伝送中に他のデータを送信することができない。また、分割送信しても連続送信したのでは伝送占有時間が大きくなり、瞬断を生じたり、他の小さなデータ、例えば、音声のようなリアルタイム性を重視したデータへ悪影響を及ぼし、到達時間に揺らぎを発生するという課題があった。
この発明は、データ送信時の伝送路の効率的かつ到達時間の揺るぎを最小としたデータ伝送方法およびデータ伝送装置を得ることを目的とする。
発明の開示
この発明に係るデータ伝送方法は、データ発生時間とデータ伝送単位時間からデータの到達時間を算出し、この算出値の小さいものから伝送するものである。
このことによって、最適なタイミングで送信開始するように、送信順序を制御することができる。
この発明に係るデータ伝送方法は、各種メディアから伝送すべき全てのデータのうちの最小の伝送単位時間でそれぞれのデータを分割し、この分割単位毎のデータ発生時間に各データの伝送単位時間を加算し、その値の小さなものから伝送するものである。
このことによって、データの分割サイズを適正化することができるとともに、データの途絶えなく、伝送路の有効利用が可能であり、各メディアの遅延を少なくし、メディア単位の揺らぎを最小とすることができる。
この発明に係るデータ伝送方法は、加算値の同じものについてはデータサイズの小さなものから伝送するものである。
このことによって、データの途絶えなく、伝送路の有効利用が可能であり、各メディアの遅延を少なくし、メディア単位の揺らぎを最小とすることができる。
この発明に係るデータ伝送方法は、加算値の同じものについてはデータの発生時間の早いものから伝送するものである。
このことによって、データの途絶えなく、伝送路の有効利用が可能であり、各メディアの遅延を少なくし、メディア単位の揺らぎを最小とすることができる。
この発明に係るデータ伝送方法は、加算値の同じものについては伝送単位時間の小さいデータから伝送するものである。
このことによって、データの途絶えなく、伝送路の有効利用が可能であり、各メディアの遅延を少なくし、メディア単位の揺らぎを最小とすることができる。
この発明に係るデータ伝送装置は、データ発生時間とデータ伝送単位時間からデータの到達時間を算出する機能と、この算出値の小さいものから伝送路に伝送する伝送機能を備えたものである。
このことによって、最適なタイミングで送信開始するように、送信順序を制御することができる。
この発明に係るデータ伝送装置は、伝送データを各種メディアの最小伝送単位時間で分割する分割機能と、この分割単位毎のデータ発生時間に各種メディア伝送単位時間を加算する加算機能と、その加算値の小さなものから伝送路に伝送する伝送機能を備えたものである。
このことによって、データの分割サイズを適正化することができるとともに、データの途絶えなく、伝送路の有効利用が可能であり、各メディアの遅延を少なくし、メディア単位の揺らぎを最小とすることができる。
発明を実施するための最良の形態
以下、この発明をより詳細に説明するために、この発明を実施するための最良の形態について、添付の図面に従って説明する。
実施の形態１．
第４図はこの発明の原理説明図であり、Ａ，Ｂ，Ｃは１つの伝送路に伝送されるデータである。データＡはｔ１時点で発生し、データサイズＷ１であり、データＢはｔ２時点で発生し、データサイズＷ２であり、データＣはｔ３時点で発生し、データサイズＷ３であることを示す。
そして、これ等のデータを伝送すべき全てのデータのうちの最小の伝送単位時間で分割し、データの発生時間等を考慮して伝送することによって、伝送路の有効利用と到達時間の揺らぎを最小とすることができる。
以下、具体的に説明する。
第５図は１つの伝送路を伝送する３つのメディアからのデータＡ，Ｂ，Ｃを示すもので、各データは同一時刻に発生しているが、データＡの最小処理時間はＴＴＩ１、データＢの最小処理時間はＴＴＩ２、データＣの最小処理時間はＴＴＩ３である。ここで、各メディア内の最小処理時間（データＢのＴＴＩ２）で各データを分割したもので、この分割状態を第６図に示す。
次に、上記のように分割したデータを伝送順序に並び替えるもので、例えば、分割単位毎のデータ発生時間に各種メディア伝送単位時間を加算し、この加算値の小さいものから順に伝送し、加算値の同じものについてはデータサイズの小さなもの、あるいはデータの発生時間の早いもの、伝送単位時間の小さいものから伝送する。
第７図はこのようにして決定したデータ伝送順序を示すもので、Ｂ０−（Ｃ０−Ｂ１−Ｃ１）−Ｂ２−（Ａ０−Ｃ２−Ｂ３−Ａ１−Ｃ３−Ａ２−Ａ３）−Ｂ４−（Ｃ４−Ｂ５−Ｃ５）−Ｂ６−（Ａ４−Ｃ６−Ｂ７−Ａ５−Ｃ７−Ａ６−Ａ７）の順で、第８図に示すように、データが伝送（送信）可能状態になる。
この第６図および第７図における各ＴＴＩ（ＴＴＩ１，ＴＴＩ２，ＴＴＩ３）の関係は、
ＴＴＩ１＝ＴＴＩ２×４＝ＴＴＩ３×２
また、第６図および第７図における各データサイズ（Ａ０・・Ａ７，Ｂ０・・Ｂ７、Ｃ０・・Ｃ７）の関係は
Ａ０＝Ａ１＝Ａ２・・
Ｂ０＝Ｂ１＝Ｂ２・・
Ｃ０＝Ｃ１＝Ｃ２・・
Ｂ０＝Ａ０×３
Ｃ０＝Ａ０×２
とし、想定する伝送路容量をＴＴＩ２時間での伝送可能サイズ＝Ａ０×６とする。
そして、仮にＡ０を２とし、ＴＴＩ２時間での伝送可能サイズを「１２」とした場合、上記伝送可能となったデータを、付加されている伝送路占有情報、情報発生時間、伝送単位時間、データサイズ等の付加情報を基に最適な伝送順序に並び換え、Ｂ０−（Ｃ０−Ｂ１−Ｃ１）−Ｂ２−（Ａ０−Ｃ２−Ｂ３−Ａ１−Ｃ３−Ｂ４）−（Ａ２−Ｃ４−Ｂ５）−（Ａ３−Ｃ５−Ｂ６）−（Ａ４−Ｃ６−Ｂ７−Ａ５−Ｃ７−Ｂ８）とする。
第９図は上記のように決定した伝送順序で伝送されたデータの受信状態を示すもので、Ｂ０−（Ｃ０−Ｂ１）−（Ｃ１−Ｂ２）−（Ａ０−Ｃ２−Ｂ３）−（Ａ１−Ｃ３−Ｂ４）−（Ａ２−Ｃ４−Ｂ５）−（Ａ３−Ｃ５−Ｂ６）−（Ａ４−Ｃ６−Ｂ７）−（Ａ５−Ｃ７−Ｂ８）−（Ａ６−Ｃ８−Ｂ９）−（Ａ７−Ｃ９−Ｂ１０）となる。
また、データ発生時間とデータ伝送単位時間からデータの到達時間を算出する機能と、この算出値の小さいものから伝送路に伝送する伝送機能を備えたデータ伝送装置、あるいは、伝送データを各種メディアの最小伝送単位時間で分割する分割機能と、この分割単位毎のデータ発生時間に各種メディア伝送単位時間を加算する加算機能と、その加算値の小さなものから伝送する伝送機能を備えたデータ伝送装置は、第１図に示したベースバンド信号処理部１あるいは無線ネットワーク制御装置３で実現することができる。
以上のようにこの発明の実施の形態１によれば、データの到達時間を算出し、その値の小さいものから送信することにより、伝送データの瞬断がなく、伝送路の有効利用が可能で、各メディアの遅延を少なくし、メディア単位の揺らぎを最小にすることができる。
また、各種メディアから伝送すべき全てのデータのうちの最小の伝送単位時間でそれぞれのデータを分割し、この分割単位毎のデータ発生時間に各データ伝送単位時間を加算し、その値の小さなものから伝送するようにしたことにより、伝送データの瞬断がなく、伝送路の有効利用が可能で、各メディアの遅延を少なくし、メディア単位の揺らぎを最小にすることができる。
産業上の利用可能性
以上のように、この発明に係るデータ伝送方法およびデータ伝送装置は、データ伝送時におけるデータ到達時間の揺らぎを最小にし、伝送路の効率化を図ることに適している。
【図面の簡単な説明】
第１図はデータ伝送装置の概要図である。
第２図は従来のデータ伝送順序の説明図である。
第３図はそのデータ伝送における伝送側と受信側の関係を示す説明図である。
第４図はこの発明の原理説明図である。
第５図は１つの伝送路を伝送する３つのメディアからのデータの関係図である。
第６図はデータの分割状態図である。
第７図は決定したデータ伝送順序を示す図である。
第８図は上記決定したデータ伝送順序によるデータ伝送を示すフローチャートである。
第９図は上記のように決定した伝送順序で伝送されたデータの受信状態図である。
【図１】
2002032079.tif 000003
【図２】
2002032079.tif 000004
【図４】
2002032079.tif 000005
【図３】
2002032079.tif 000006
【図５】
2002032079.tif 000007
【図６】
2002032079.tif 000008
【図７】
2002032079.tif 000009
【図８】
2002032079.tif 000010
【図９】
2002032079.tif 000011
【国際調査報告】
2002032079.tif 000012
2002032079.tif 000013